(57)【要約】本発明は、一般的に言えば液体アプリケータに関する。より詳しくいえば、本発明は、少なくとも２本の液体充填ガラス・アンプルが受けられる可撓性細長い中空本体を有している携帯型液体アプリケータ、および分配のために液体を放出するためにアンプルを破砕するための機構に関する。表面に所望の液体を塗布するための液体アプリケータであって、割れやすい材料で形成され塗布液が入っている少なくとも２本の細長いアンプル、前記アンプルを受ける細長い本体、前記本体から突出ているレバー、および前記本体に固定されてそれの開放端を閉じる多孔質要素を備え、レバーが本体の方へ圧迫されると、前記本体を内方に撓曲させてアンプルをほぼ同時に破砕し、前記アンプルが破砕されると液体が多孔質要素を通して流れるようにしている。
2006512975.tif 000002
【特許請求の範囲】
【請求項１】
表面に所望の液体を塗布するための液体アプリケータであって、割れやすい材料で形成され、塗布液が入っている少なくとも２本の細長いアンプル、前記アンプルを受けるのに適している内部室を画成している細長い中空の本体、前記本体から突出ているレバー、および前記本体に固定されて本体の開放端を閉じる多孔質要素を備え、前記レバーを本体の方へ圧迫すると、前記アンプルをほぼ同時に破砕するために前記本体を内方に撓曲させ、前記多孔質要素は、前記アンプルが破砕されると液体が前記要素を通して流れるようにしていることを特徴とする液体アプリケータ。
【請求項２】
レバーは、ヒンジ部分、破砕部分、および操作部分から構成されている請求項１の液体アプリケータ。
【請求項３】
本体は、縦中心軸線を有する請求項２の液体アプリケータ。
【請求項４】
レバーは、本体の縦中心軸線に関して２０度と４０度の間の角度で伸びている請求項３の液体アプリケータ。
【請求項５】
レバーの破砕部分は、前記アンプルを破砕するために本体を内方に撓曲させる請求項２の液体アプリケータ。
【請求項６】
前記アンプルを破砕するために本体が内方へ曲がった本体の薄い壁部分を更に備える請求項２の液体アプリケータ。
【請求項７】
レバーは、湾曲している請求項２の液体アプリケータ。
【請求項８】
レバーは、支持リブを更に備えている請求項７の液体アプリケータ。
【請求項９】
レバーのヒンジ部分はレバーの残部より薄い請求項８の液体アプリケータ。
【請求項１０】
レバーの操作部分は、レバーの破砕部分の領域より大きい握持領域になっている請求項９の液体アプリケータ。
【請求項１１】
操作部分は、操作を容易にするために表面模様つき外面を有する請求項１０の液体アプリケータ。
【請求項１２】
本体は、軸方向に向かい合った開閉端を有する請求項１の液体アプリケータ。
【請求項１３】
閉成端はキャップで閉じられている請求項１２の液体アプリケータ。
【請求項１４】
空気が本体の内部室から本体の外側へ流れることができるようにする通気孔をさらに備える請求項１３の液体アプリケータ。
【請求項１５】
通気孔は、本体の内部の切り抜き部分および本体の外部切り抜き部分から成る請求項１４の液体アプリケータ。
【請求項１６】
多孔質要素と２本以上のアンプルの間に配置されて液体の流れの速度を制御する多孔質プラグを更に備える請求項１の液体アプリケータ。
【請求項１７】
アンプルと多孔質プラグの間に配置された拘束要素を更に備える請求項１の液体アプリケータ。
【請求項１８】
表面に液体を塗布するための液体アプリケータであって、割れやすい材料で形成されて塗布液が入っている少なくとも２本の細長いアンプル、前記アンプルを受けるのに適している内部室を画成している細長い中空の本体、前記本体に取り付けられて前記本体を撓曲させて前記アンプルをほぼ同時に破砕するための機構、および前記本体に固着されて本体の開放端を閉じるもので、前記アンプルが破砕されると液体が前記多孔質要素を通って流れるようにする多孔質要素を備える液体アプリケータ。
【請求項１９】
多孔質要素と２本以上のアンプルの間に配置されて液体の流れの速度を制御する多孔質プラグを更に備える請求項１８の液体アプリケータ。
【請求項２０】
拘束要素を更に備える請求項１８の液体アプリケータ。
【請求項２１】
塗布液の入っている少なくとも２本の割れやすいアンプルを受けるように形作られた液体アプリケータの製作方法であって、該方法は、軸方向に向かい合った開閉端を有し、アンプルを受けるのに適している細長い本体を用意する工程と、前記本体から突出して、本体の方へ圧迫されると、前記アンプルをほぼ同時に破砕するために前記本体を内方へ撓曲させることのできるレバーを前記本体に連結する工程と、前記要素が前記本体の前記開放端近くに配置されて、アンプルが破砕されると、液体が前記本体中へ入るとき通る多孔質要素を前記本体に固定する工程を備えることを特徴とする液体アプリケータの製作方法。
【発明の詳細な説明】
【技術分野】
【０００１】
本発明は、一般的に言えば液体アプリケータに関する。より詳しくいえば、本発明は、少なくとも２つの液体充填ガラス・アンプルを受ける柔軟な細長い本体及び分配するために液体を放出するためにアンプルを破砕する機構を有する可搬液体アプリケータに関する。
【背景技術】
【０００２】
薬剤または消毒剤などの液体を塗布するアプリケータは、従来技術で公知である。従来のアプリケータは、通常は略円筒形の本体構成をしていて、ガラス・アンプルが本体内に保持された１本だけのガラス・アンプル、本体に固定されて少なくとも片面がアンプルに曝されているスポンジまたはチップ、およびアンプルが破砕されると、その中に保存された液体が塗布のためにスポンジに分配されるようにアンプルを破砕する手段を備えている。
【０００３】
いくつかの従来技術は、アプリケータの本体の中に保持された複数のアンプルを開示している。そのようなアプリケータでは、液体入りアンプルは、通常、ユーザが体壁を握って直接それに圧搾力を加えることによって破砕される。もちろん、２つのアンプルを破砕するのに必要な圧搾力は、多くのファクタ（例えばアンプルの形、本体およびアンプルを形成する材料、および力が加えられる場所によって変わる。
【０００４】
多数の問題がこの形式のアプリケータに生じている。例えば、このように複数のアンプルを破砕することは難しく、流体を分配するアンプルを壊すためにユーザが両手を使用することが必要なことがある。さらに、複数のアンプルを破砕するために多大な労力を必要とするので、ユーザが同時に複数のアンプルを破砕することが難しいことがある。
【０００５】
他の従来技術は、複数のアンプルを有するアプリケータおよびアンプルを一つずつ壊すための機構を示した。また、これは、複数のアンプルを破砕するために、ユーザは両手を使用することが必要である。さらに、一つずつアンプルを壊すことは、非効率的で信頼性がない。
【０００６】
多くの場合に、消毒剤または薬剤の液体ディスペンサのユーザがその液体で処置されることになっている患者の身体の一部を露出するか位置決めするために片手を使い、同時に他方の手でディスペンサを使う準備および消毒液を塗布することが必要である。例えば、液体アプリケータは、術前液体、例えばイソプロピルアルコールまたはヨウ素ベースの溶液を手術の直前に身体のある領域に塗布するのに用いられることが多い。したがって、アプリケータを実用可能にするために、ユーザが片手だけでアプリケータを準備して使用できることが不可欠である。
【特許文献１】なし
【非特許文献１】なし
【発明の開示】
【発明が解決しようとする課題】
【０００７】
複数のアンプルを同時に破砕でき、かつユーザが片手だけで準備して使用できる可搬型液体アプリケータを提供することである。
【課題を解決するための手段】
【０００８】
したがって、それの態様の一つにおいて、本発明は、中に囲まれた複数のアンプルをほぼ同時に破砕するために押し下げて、液体をアプリケータの本体に取り付けられた多孔質要素によって塗布できるようにアンプルに入っている液体を放出できる機構を備える本体を有する高級構成のを提供する。この改良型携帯式アプリケータは、割れやすい材料で形成され、塗布液が入っている少なくとも２本の細長いアンプル、前記アンプルを受けるのに適している内部室を画成している細長い中空の本体、前記本体から突出ているレバー、および前記本体に固定されて本体の開放端を閉じる多孔質要素を備え、前記レバーを本体の方へ圧迫すると、前記アンプルをほぼ同時に破砕するために前記本体を内方に撓曲させ、前記多孔質要素は、前記アンプルが破砕されると液体が前記要素を通して流れるようにした表面に所望の液体を塗布することによって達成される。
【０００９】
本発明の追加の態様を、利点、およびそれに付属する新しい特徴と共に、以下の説明において一部分は記載され、一部分は、以下の記載を吟味すると当業者に明らかになるであろうし、または本発明の実施から学ぶことができる。本発明の目的および利点は、添付の特許請求の範囲において特に指摘された手段、方法、および組合せによって具体化され達成される。
【発明の効果】
【００１０】
本発明の液体アプリケータによれば、複数のアンプルを同時に片手で破砕できるので、他方の手を所望の場所に液体を塗布するための付随諸作業に使用でき、労力の軽減と同時に作業効率を高めることができる効果がある。
【発明を実施するための最良の形態】
【００１１】
ある表面に所望の液体を塗布するもので、割れやすい材料で形成され、塗布液が入っている少なくとも２本の細長いアンプルを受けるための内部室を画成している中空の本体を備えている液体アプリケータが記載されている。この液体アプリケータは、本体から突出しているレバーを更に備え、前記レバーは、それを本体の方へ押し下げると、前記本体を内方に撓曲させて、アンプルをほぼ同時に破砕する。液体アプリケータは、アプリケータの本体に固定され、開放端を閉じる多孔質要素を更に備え、液体が多孔質要素を通して流れて表面に塗布されるようにする。以下の記載は、本発明の実施例の例であり、制限的でなく、例示的である。
【実施例１】
【００１２】
特に図１、図２、および図３を参照すると、類似の参照番号が、種々の図の中の類似の要素を識別し、液体アプリケータの一つの実施例が例示され、総括的に数字１０によって示されている。液体アプリケータ１０は、一般に、本体１２、および本体１２のフランジ２４に固定された多孔質要素１６、並びにレバー２６を備えている。
【００１３】
２本のアンプル１４および１５は本体１２に受けられている。アンプル１４および１５は、薬剤、消毒剤、化粧品、つや出し剤等の種々の液体を入れるために用いられてもよい。図示の実施例では、アンプル１４および１５には、手術の前に患者の皮膜に塗布される消毒液が入っている。アンプル１４および１５は、それぞれ縦中心軸線を有する細長い円筒として例示されている。しかし、本発明の原理は、球形または細長い多角形のアンプルにもまた適用できることは言うまでもない。さらにまた、本発明の原理は２本以上のアンプルに適用できることが分かるであろう。
【００１４】
アンプル１４および１５はガラスで形成されるのが好ましいが、他の材料も完全に本発明の範囲内にある。図示の実施例では、アンプル１４および１５は、横並びに本体１２の中に置かれている。ガラス・アンプル１４および１５の壁は、輸送および貯蔵の間所望の液体を入れるのに十分な厚みのものであるが、それでもなお、アンプル１４および１５は局部的圧力を加えて破砕できる。
【００１５】
次に、図４、５、６、および７を参照すると、本体１２は、形が大体中空で卵形または楕円形であり、軸方向に向かい合った第１および第２の端１８、２０を備えている。根元の第１の端１８は開いており、末端の第２の端２０は、図６に示されたキャップ１９で閉じられている。例示された本体１２は高密度ポリエチレンで形成されているが、同様の柔軟性および完全性を示している任意の材料を使用できる。図示の実施例では、本体１２およびキャップ１９は、１００％混合物のない材料ＤＯＷ、ＨＤＰＥ、樹脂１２４５４Ｎ番（ＦＤＡマスター・ファイル（  Master File）第４２５１号において規定されている）で成形された。好ましい実施例では、第２の端２０は、キャップ１９で閉じられているが、第２の端は、また、キャップ等の必要をなくす成形プロセスの間閉じられてもよい。
【００１６】
図１、２、３、および４を再び参照すると、本体１２は、本体１２の中に内部室２２を画成する内壁２１を備えている。内壁２１は、内部室２２の中に受けられるアンプル１４および１５の形に大体一致するように形作られている。内壁２１の円周は、２つのアンプル本体の外面よりわずかに大きい。中空の本体１２の境界壁１７は、アンプル１４および１５を分離し、内部室２２の中にアンプル１４および１５を維持する。例示された本体１２は、細長く、縦中心軸線「ｘ」を画成する。
【００１７】
アプリケータの壁の厚みは、１．０１６〜２．０３２mm（０．０４０〜０．０８０インチ）の間であってもよく、薄壁４０以外は１．５２４mm（０．０６０インチ）であるのがこのましい。本体１２の壁の厚みは、破砕領域４２の周辺で減らされている。薄壁４０は、０．５０８〜１．０１６mm（０．０２０〜０．０４０インチ）の間であってもよく、０．７５mm（０．０３０インチ）であるのが好ましい。しかし、異なる壁サイズが本発明の範囲内で用いられてもよいことが分かるであろう。薄壁４０は、レバー２６の破砕部分３６がレバー２６を押し下げるとき多連アンプルを破砕することをより容易にする。これは、後で更に詳細に説明する。
【００１８】
本体１２には、更に、それの周辺部に沿って根元端１８から突出しているフランジ２４がある。好ましい実施例においては、フランジ２４は、本体１２に連続的に成形され、ある角度をなして配置されている。フランジ２４は、本体の縦中心軸線に関して４５度の角度で配置されるのが好ましい。フランジ２４が種々の角度で本体１２の縦中心軸線に関して配置されてもよいことはいうまでもない。フランジ２４は、多孔質要素１６を支えるように構成されている（以下にもっと完全に説明するように）。
【００１９】
多孔質要素１６（例えばスポンジ等）は、本体１２の開端１８を閉じ切る。多孔質要素１６は、フランジ２４に受けられ、内部室２２内にアンプル１４および１５を囲む。多孔質要素１６は、フェルトまたは連続気泡フォーム材で形成されてもよい。図示の実施例では、多孔質要素１６は、ＳＩＦ‐＃３−１０００Ｚフェルト（色素なしの自然色）網状ポリエステルウレタンで形成された。このフェルトは、疎水性で、アルコールベースの液体と合う。別の実施例において、アクワゾネ（AQUAZONE）（商標）ポリウレタンフォーム（コロラド州デンバーのイー・エヌ・マレイ社（E.N. Murray Co.）製）が、用いられている。アクワゾネ・ポリウレタンフォーム（イー・エヌ製）。アクワゾネフォームは、親水性で、水性液体とよく合う。
【００２０】
多孔質要素１６は、分配される液体のための所望の多孔性を有する１枚のフォームまたはフェルト材料から切断される。多孔質要素１６は、形はほぼ方形であるのが好ましいが、要素はフランジ２４に支えられることができる任意の所望のサイズおよび形状のものであってもよいことが分かるであろう。
【００２１】
図示の実施例では、織または不織積層材料が多孔質要素１６になるように積層されている。薄層状の材料は、織または不織ポリエステル材料であってもよい。図示の実施例では、ノボネット（Novonnete）（商標）ＳＰ−６４（３９０５） ポリエステル（不織）は、９．１mm（０．３６０インチ）±０．８mm（０．０３２インチ）のＳＩＦ―３−１０００Ｚ番フェルト（（色素なしの自然色）網状ポリエステルウレタン（Reticulated Polyester Urethane））に積層された。積層材料は、多孔質要素１６と本体１２のフランジ２４の間に配置される。このように、積層材料は、アプリケータの使用中、破砕されたアンプルからのガラスの破片が多孔質要素を押し通らないように働く。積層材料は、アプリケータを製作するのに超音波溶接作業が用いられるとき、本体の適所に多孔質要素を固定するための適当な溶接材料になる。
【００２２】
図示の実施例では、多孔質プラグ４６は、多孔質要素１６とアンプル１４、１５の間に配置されている。多孔質プラグ４６は、連続気泡フォーム材またはフェルトであってもよい。例示の実施例では、ノボネット（Novonnete）（商標）ＳＰ−６４（３９０５） ポリエステル（不織）は、９．１mm（０．３６０インチ）±０．８mm（０．０３２インチ）のＳＩＦ―＃３−１０００Ｚフェルト（（色素なしの自然色）網状ポリエステルウレタン（Reticulated Polyester Urethane））に積層された。多孔質プラグ４６は、液体が本体から流れる速度を制御するのを助け、アプリケータの使用中、破砕されたアンプルからのガラスの破片が多孔質要素を押し通らないようにする。多孔質プラグ４６は、液体を分配すための所望の多孔率を備えている１枚のフォームまたはフェルト材料から切断される。
【００２３】
本体１２は、また、本体１２の上部から突出ているレバー２６を備えている。しかし、レバー２６が本体１２のどの部分から突出ていてもよいことはいうまでもない。レバー２６は、ほぼ同時に複数のアンプルを破砕する任意の機構である。レバー２６はヒンジ部分３８を備えている。そして、破砕部分３６と操作部分３４がレバー２６の末端から伸びる。レバー２６は、本体１２から外方に２０度と４０度の間の角度で本体１２の縦中心軸線に対して伸びているのが好ましい。レバー２６は、本体１２からほぼ２７度で本体１２の縦中心軸線「ｘ」に対して伸びるのがさらに好ましい。レバー２６が種々の角度で本体１２の縦中心軸線に対して配置されてもよいことはいうまでもない。
【００２４】
図示の実施例では、レバー２６は、本体１２と連続的に成形されている。しかし別に形成されたレバーは本発明の範囲内であると考えられることが理解され認められるであろう。
【００２５】
例示の実施例のレバー２６の操作部分３４は、本体１２から１４．７mm（０．５インチ）と３８．１mm（１．５インチ）の間の間隔を取っている。操作部分３４は、約２５．４mm（１．０インチ）だけ本体１２から間隔を置いて配置されるのが好ましい。レバー２６の操作部分３４は、アプリケータ１０の操作を容易にし、塗布の間にユーザの手からすべるのを阻止するために表面模様つき外面を備えている。
【００２６】
図示の実施例では、レバー２６は、破砕部分３６および本体１２に取り付けられたヒンジ部分３８を備えている。しかし、本発明の原理がアンプル１４と１５を破砕するための種々の他の構造体（例えば、複破砕部分、複ヒンジ部分及び本体１２に着脱できる一つの破砕部分）に等しく適用できることが認められるであろう。ヒンジ部分３８は、レバー２６の一端をアプリケータの本体１２に押し付けて繋止するので、レバー２６を押し下げると、力がレバー２６の破砕部分３６に移される。レバー２６の操作部分３４は、破砕部分３６の領域よりよりかなり大きい握持領域になっている。レバー２６を押し下げると、破砕部分３６は本体１２を薄壁４０の所で撓曲させ、それによって、本体１２の方へレバー２６を押し下げることによって生じた力を集中させ、より完全に後述するようにアンプル１４と１５の破砕力を高める。
【００２７】
例示の実施例のレバー２６のいくつかの構成（レバー２６の厚み、レバー２６の湾曲、支持リブ３７（図２に例示のような）、ヒンジ部分３８の厚みおよび破砕部分３６の幅を含む）は、少なくとも２本のアンプルを同時に破砕する能力を高める。レバー２６の厚みは、約２．０３〜３．８１mm（０．０８０〜０．１５インチ）であって．２．７９cm（１１インチ）であるのが好ましい。例示の実施例では、レバー２６は、約５９．７mm（２．３５インチ）の長さである。例示の実施例のヒンジ部分３８はレバー２６の残部より薄い。ヒンジ部分３８は、厚さ約１〜２mm（０．０４０〜０．０８０インチ）で、厚さ１．５２mm（０．０６０インチ）であるのが好ましい。レバー２６と支持リブ３７の湾曲は、ユーザが２つのアンプルをほぼ同時に破砕することをより容易にするレバー２６の操作部分３４のてこ作用を大きくする。
【００２８】
破砕部分３６の幅に対する横並びのアンプル１４と１５の幅の比率は、アンプル１４と１５の破損の信頼性を高めるのに関して重要である。図示の実施例では、破砕部分３６の幅は、アンプルの破損をほとんど同時に生じさせるためには横並びの２本のアンプルの幅の少なくとも約１／５である必要があった。横並びの２本のアンプルの幅は、約２６．１６mm（１．０３インチ）であった。アンプルの破損をほとんど同時に生じさせるレバーの破砕部分の最小限の幅は、５．０８mm（０．２００インチ）であった。したがって、確実なアンプル破壊のための長さアスペクト比は、２６．１６／５．０８すなわち５．１５であった。これらの形体の全て（単独でまたは組合せてのどちらでも）は、薄壁４０とともに複式アンプルを同時に壊すためのレバーの能力を高めるのを助ける。本発明の好ましい実施例では、レバーの破砕部分は、１７．１４mm（０．６７５インチ）であった。横並びの２本のアンプルの幅は、約２６．１６mm（１．０３インチ）である。したがって、好ましい長さアスペクト比は、２６．１６／１７．１４すなわち１．５３である。
【００２９】
図７と図８を参照すると、例示の実施例の通気孔５６が示されている。通気孔５６は、本体１２の末端２０に置かれている。通気孔５６は、空気が本体１２の内部室２２から本体１２の外側へおよびその逆に流れることができるようにする本体１２の小さな切り抜き部分である。これは、本体１２の外側に始まり、本体１２のリップを越えて行き、本体１２の内部に続く本体１２の小さい切り抜き部分によって達成される。内部切り抜き部分５４、外部切り抜き部分５０および切り抜きリップ５２によって、空気がキャップ１９の下で本体１２の  内部室１２に流出入できるようにする。キャップ１９は、切り抜き通気孔５６を除いて完全に内部室２２を閉鎖する。
【００３０】
図９と図１１に関して説明すると、拘束要素４４がアンプル１４、１５と多孔質プラグ４６の間に配置されている。拘束要素４４によって、液体が  本体１２から、多孔質プラグ４６を通って多孔質要素１６に流れ込むことができる。拘束要素４４は、適当な破壊を容易にするための位置にアンプル１４と１５を拘束する。拘束要素４４はアンプルの端が適切に壊されて液体の流れを制限しないように、アンプル１４と１５の端を破砕点４２の近くで保持する。拘束要素４４は、塗布液の種類に従い種々の形状を取ることができる。図示の実施例では、抑制要素４４は、図１１に見られるような２つの扇形の穴を備えているる。
【００３１】
図５、９、１０および１１について説明すると、使用時には、アプリケータ１０は、レバー２６を押し下げてアンプル１４と１５の中に入っている所望の液体をある表面に塗布するために中に放出するようになっている携帯型液体アプリケータとなる。例示の実施例のアプリケータ１０は、ユーザの片手で握られる。本体１２の底は、ユーザの掌と指によって握られ、ユーザの指は、本体１０の底と側面のまわりに巻きついて  ユーザの指の先端が本体１２の頂部にのるようになる。同じ手の親指は、レバー２６の操作部分３４に置かれて片手の操作を可能にする。ユーザは、アンプル１４と１５を破砕するために本体１２の方へレバー２６を押し下げる。レバー２６の動きは、破砕部分３８によって本体１２の薄壁４０に伝達され、本体１２を内方へ変形させて、アンプル１４と１５に押し付けて、離散的な局所化された破砕力を出す。レバー２６は、レバー２６が本体１２の方へ押し下げられるとき力を機械的に大きくする作用を与える。したがって、ユーザの握力が限られている場合、またはアンプルの壁が例外的に厚い場合、レバーはアンプルの破砕を確実にする。
【００３２】
一旦レバー２６が十分に押し下げられると、結果として生じる力はアンプル１４と１５をほとんど同時に破砕するので、各アンプルに入っている液体を放出する。一旦アンプル１４と１５が破砕されると、放出された液体は、流れの速度を制御する多孔質プラグ要素４６を飽和させ、次に、液体は、多孔質要素１６を飽和させる。従って、本体１２は、本来、所望の液体の貯蔵器として働く。液体は、破砕されたアンプルから重力の下に本体１２の下流へ多孔質プラグ４６を通り、開放端１８を通り、そして多孔質要素１６を通って流れる。その後で、液体の塗布が孔質要素１６を所望の表面と接触させることによって達成される。次に、ユーザは、表面に液体を塗布するために塗り付けまたはこすり洗い運動を用いことができる。アンプル１４と１５を破砕して所望の表面に液体を塗布する全体の処理は、ユーザの片手だけを用いて達成される。
【実施例２】
【００３３】
この実施例においては、液体アプリケータ１０は、２本の１３ｍｌのアンプルを収納するように構成されている。１３ｍｌのアンプルの壁の厚さは、０．３ｍｍである。しかし、種々の壁幅を有する種々のサイズのアンプルを利用でき、そのようなことは、本発明の範囲内であると考えられることが理解されて認められるであろう。図示の実施例では、フランジの最も上方に配置された部分によって定められる側線とレバーの操作部分の末端の間の距離は、約９５．２５mm（３．７５インチ）である。しかし、この距離は、用いられるアプリケータとアンプルのサイズに基づいて変化することが理解され認められるであろう。そのような変形態様は、本発明の範囲内にあると考えられる。
【実施例３】
【００３４】
アプリケータの形成の間、多孔質要素は、３つのステップでアプリケータ本体に溶接される。第１に、本体のフランジは、３２６℃と３２５℃（６２０°Ｆと６２５°Ｆ）の間で変動する温度にセットされる赤外線ヒータを用いて予熱される。フランジと本体は適所にネスティング締付具で保持され、フランジと加熱要素の間のすきまは３．１７５mm（０．１２５インチ）にセットされる。フランジは、約６５．５〜８８．８℃（１５０〜１６０°Ｆ）の温度を達成するために約１５秒間加熱される。次に、多孔質プラグは、フランジ領域がまだ温かい間にアプリケータ本体に手動で挿入される。最後に、多孔質プラグが入っている予熱された本体とフランジがまだネスティング締付具内にある間に、多孔質要素はフランジの中央に置かれる。フランジと多孔質要素は、超音波溶接機で一体に接合される。超音波溶接の代わりに他の適当な固定手段を使用できるだろうことはいうまでもない。例えば、多孔質要素は、接着剤または針仕事によって適所に、または要素を適所に熱封止または化学的接合によって固定できるであろう。そのような代替の固定手段は、本発明の範囲内であると考えられる。
【００３５】
多孔質要素をフランジに固定された多孔質プラグの入っている完成アプリケータ本体は、締付具から取り外される。２本の１３ｍｌアンプルが末端開口を通してアプリケータ本体に挿入される。キャップは、特注空気プレスとネスティング締付具を使用して所定の位置に挿入される。最後に、キャップは、末端でアプリケータ本体を閉じるそれの最終的な位置に圧入される。
【００３６】
前述のように構成され、操作されるので、本発明は、本体の方へ押し下げて本体に液体の入っている少なくとも２本のアンプルを破砕できるレバーの付いた本体を有する高級な構成の携帯型液体アプリケータを提供する。更に、本発明は、所望の領域に液体を塗るのを助けるのに用いるように、ユーザの別の手を自由にするために片手操作を可能にする使い捨ての液体アプリケータを提供する。本発明の液体アプリケータは、また、構成し組立てるのが簡単で、従って、従来の塗布装置より経済的に製造できる。
【００３７】
上記のことから、本発明は、明白であり、構造体に固有である他の利点と共に先に記載した全ての目的を達成するのによく適しているものであることが分かるであろう。
【００３８】
いくつかの形体と副組合せは、有用であって、他の形体と副組合せに関係なく使用されてもよいことが分かるであろう。これは、特許請求項の範囲によって意図されて、その範囲内にある。
【００３９】
多くの可能な実施例が本発明の範囲から逸脱することなく、本発明で作られることができるので、本願明細書において記載されまたは添付の図面に示された全ての事項は、例示として解釈されるべきで、限定の意味に解釈されてはならないことを理解すべきである。
【産業上の利用可能性】
【００４０】
本発明は、特に医療分野において利用して効果大であるが、他の液体アプリケータを用いる分野にも本発明の原理は広く利用できる。
【図面の簡単な説明】
【００４１】
【図１】本発明の実施例に従って構成された液体アプリケータの斜視図である。
【図２】本発明の実施例に従って構成された側面図である。
【図３】アプリケータ本体の一部を本体の内側とアンプルを見せるために除いた本発明の実施例に従って構成された液体アプリケータの平面図である。
【図４】本体の内側とアンプルを見せるためにアプリケータ本体の一部を除いた本発明の実施例に従って構成された本発明の実施例に従って構成される液体アプリケータの側面図である。
【図５】レバーによってほとんど同時に破砕されている２本のアンプルを見せるためにアプリケータ本体の一部を除いた本発明の実施例に従って構成される液体アプリケータの側面図である。
【図６】本発明の実施例に従って構成された液体アプリケータのキャップの側面図である。
【図７】線７−７に大体沿って取られた部分断面図である。
【図８】図３の線８によって囲まれたアプリケータの末端にある通気孔の分解図である、
【図９】レバーによって破砕されているアンプルを見せるためにアプリケータ本体の一部を除いた本発明の実施例に従って構成された液体アプリケータの側面図である。
【図１０】図２の線１０−１０に大体沿って取られた部分断面図である。および
【図１１】図４の線１１―１１に大体沿って取られた部分断面図である。
【符号の説明】
【００４２】
１０        液体アプリケータ
１２        本体
１４，１５    アンプル
１６        多孔質要素
１９        キャップ
２２        内部室
２４        フランジ
２６        レバー
【図１】
2006512975.tif 000003
【図２】
2006512975.tif 000004
【図３】
2006512975.tif 000005
【図４】
2006512975.tif 000006
【図５】
2006512975.tif 000007
【図６】
2006512975.tif 000008
【図７】
2006512975.tif 000009
【図８】
2006512975.tif 000010
【図９】
2006512975.tif 000011
【図１０】
2006512975.tif 000012
【図１１】
2006512975.tif 000013
【国際調査報告】
2006512975.tif 000014